(57)【要約】自動構成装置は、汎用移動端末（１２）あるいはユーザ端末（ＵＥ）と、専用ネイティブあるいは標準化コーデック（２４）及びメディアフォーマットを有するアクセスネットワークとを、互いに適合させることを可能にし、かつアクセスネットワーク（１０）のリソース利用を最適化する。ＵＥ（１２）がアクセスネットワーク（１０）に接続される場合、ＵＥ（１２）及び識別子情報がＵＥ（１２）によって、アクセスネットワーク（１０）で実現される構成ノード（１８）に信号で送信される。構成ノード（１８）は、１つ以上のアクセスネットワークレジスタを検索することによって、ＵＥ（１２）と関連するユーザ加入情報に関する詳細情報を取得する。次に、構成ノード（１８）は、その詳細情報とアクセスネットワーク専用情報を使用して、どのＱｏＳ定義及びコーデック（２４）のタイプを使用のために選択するかを判定し、例えば、リポジトリからの検索によって、選択された定義及びコーデック（２４）を構成する。構成ノード（１８）は、選択されたＱｏＳ定義及びコーデック（２４）をＵＥ（１２）に送信し、ＵＥ（１２）は、ＵＥ（１２）内に存在する構成レイヤーによって、その選択されたＱｏＳ定義及びコーデック（２４）に従って、自身を構成する。
2005507624.tif 000002
【特許請求の範囲】
【請求項１】
ユーザ端末（ＵＥ）と、専用アクセスネットワークパラメータを有するアクセスネットワーク間のデータ転送を向上させる方法であって、前記アクセスネットワークパラメータは、前記アクセスネットワークに対する、専用コーデックのセットと専用サービス定義のセットを少なくとも有し、
前記ＵＥと選択的に通信するために配置されている構成ノードを実現するために、前記アクセスネットワークを制御するステップと、
前記ＵＥ及び該ＵＥに関連付けられているユーザの少なくとも一方を識別する情報と、前記ＵＥ及び前記ユーザの少なくとも一方に関連付けられている他の情報とを、前記アクセスネットワークに供給するステップと、
前記専用アクセスネットワークパラメータ、前記ＵＥのアイデンティティ及び前記ユーザのアイデンティティ情報の少なくとも一方、及び前記他の情報から、ＵＥパラメータの専用セットを判定するステップと
を備えることを特徴とする方法。
【請求項２】
前記ＵＥパラメータの専用セットを、前記ＵＥに供給するステップと
を更に備えることを特徴とする請求項１に記載の方法。
【請求項３】
前記ＵＥに供給するステップは、前記ＵＥパラメータの専用セットを前記ＵＥに供給するために、前記アクセスネットワークの前記構成ノードを制御する
ことを特徴とする請求項２に記載の方法。
【請求項４】
前記ＵＥに供給するステップは、前記ＵＥに、前記ＵＥパラメータの専用セットに従う構成レイヤーを構成することを可能にする
ことを特徴とする請求項３に記載の方法。
【請求項５】
前記構成レイヤーは、前記ＵＥパラメータの専用セットの一部として、モジュールと、デジタル値／パラメータのセットを追加することが可能である
ことを特徴とする請求項４に記載の方法。
【請求項６】
前記ＵＥは、その機能が、複数の物理的に異なるデバイスに分散されている
ことを特徴とする請求項５に記載の方法。
【請求項７】
前記構成レイヤーは、複数の物理的に異なるデバイスに分散されている
ことを特徴とする請求項６に記載の方法。
【請求項８】
前記モジュール及び前記デジタル値／パラメータんもセットは、それぞれの構成に対して、前記複数の物理的に異なるデバイスに適宜分散されている
ことを特徴とする請求項５に記載の方法。
【請求項９】
前記ＵＥ識別情報は、前記構成ノードから、前記アクセスネットワーク内の加入者レジスタに信号で送信され、応答において、前記加入者レジスタは、前記ＵＥパラメータの専用セットの判定で使用するための前記ＵＥ情報と前記ＵＥに関連付けられているユーザ加入情報を、前記構成ノードに提供する
ことを特徴とする請求項１に記載の方法。
【請求項１０】
前記ＵＥパラメータの専用セットは、前記アクセスネットワークに記憶されている前記ＵＥに対する専用コーデックとＱｏＳ定義を含み、前記ＵＥの構成時で使用する前記構成ノードがアクセス可能である
ことを特徴とする請求項１に記載の方法。
【請求項１１】
前記ＵＥが前記アクセスネットワークに接続された後、前記アクセスネットワークと前記ＵＥ間で通信が発生する
ことを特徴とする請求項３に記載の方法。
【請求項１２】
アプリケーションが、前記ＵＥに前記ＵＥパラメータの専用セットを構成することを要求する機能サポートを要求する場合に、前記ＵＥと前記アクセスネットワーク間で通信が発生する
ことを特徴とする請求項３に記載の方法。
【請求項１３】
前記アクセスネットワークは、ＵＭＴＳネットワークを有し、前記構成ノードは、前記アクセスネットワークの前記ＳＧＳＮノードと一緒に配置されている
ことを特徴とする請求項３に記載の方法。
【請求項１４】
前記アクセスネットワークは、ＧＰＲＳネットワーク、ＣＤＭＡネットワーク、ＣＤＭＡ２０００ネットワークあるいはＷＬＡＮを有する
ことを特徴とする請求項３に記載の方法。
【請求項１５】
汎用ユーザ端末（ＵＥ）と、専用アクセスネットワークパラメータを有する無線アクセスネットワーク間のデータ転送を向上させる方法であって、前記アクセスネットワークパラメータは、前記アクセスネットワークに対する、専用コーデックのセットと専用サービス定義のセットを少なくとも有し、
前記専用アクセスネットワークパラメータと前記ＵＥの識別情報から導出されるＵＥパラメータの専用セットで、前記ＵＥを構成するステップと
を備えることを特徴とする方法。
【請求項１６】
前記ＵＥパラメータの専用セットは、更に、前記ＵＥあるいは前記データ転送に関連付けられているユーザアイデンティティから導出される
ことを特徴とする請求項１５に記載の方法。
【請求項１７】
前記ＵＥと選択的に通信するために配置されている構成ノードを実現するために、前記アクセスネットワークを制御するステップと、
前記ＵＥに存在する構成レイヤーに、前記ＵＥパラメータの専用セットを供給するために、前記構成ノードを制御するステップと
を更に備えることを特徴とする請求項１５に記載の方法。
【請求項１８】
専用ネットワークパラメータを有するアクセスネットワークを含むシステムにおいて、前記専用ネットワークパラメータは、前記アクセスネットワークに対する、専用コーデックのセットと専用サービス定義のセットを少なくとも有し、汎用ＵＥと前記アクセスネットワーク間のデータ転送を向上させるための装置であって、
前記アクセスネットワークで、前記ＵＥに対するＵＥパラメータの専用セットに関する情報を記憶する加入レジスタと、
前記ＵＥ及びユーザの少なくとも一方のアイデンティティを受信するために、前記ＵＥと通信し、前記加入レジスタに前記アイデンティティを供給し、前記アイディンティの供給に応答して、前記ＵＥパラメータの専用セットに関する前記情報を受信する、前記アクセスネットワークで実現される構成ノードと
を備えることを特徴とする装置。
【請求項１９】
前記構成ノードは、前記加入レジスタに記憶されている前記情報から、前記ＵＥパラメータの専用セットを判定する
ことを特徴とする請求項１８に記載の装置。
【請求項２０】
前記ＵＥパラメータの専用セットに対応するモジュールを更に備え、前記モジュールは、前記ＵＥに対する転送するために構成され、前記ＵＥに当該モジュールを構成レイヤーに追加することを可能にする
ことを特徴とする請求項１８に記載の装置。
【請求項２１】
前記アクセスネットワークの構成ノードは、前記ＵＥパラメータの専用セットを、前記ＵＥに存在する構成レイヤーに供給するように制御される
ことを特徴とする請求項１８に記載の装置。
【請求項２２】
前記構成ノードは、前記ＵＥアイデンティティ及び前記ユーザアイデンティティの少なくとも一方を前記加入レジスタに信号で送信されるように配置され、応答において、前記加入レジスタは、前記ＵＥパラメータの専用セットの判定時に使用する前記ＵＥ情報とユーザ加入情報を、前記構成ノードに提供する
ことを特徴とする請求項１８に記載の装置。
【請求項２３】
前記ＵＥパラメータの専用セットは、前記アクセスネットワークに記憶される前記ＵＥに対する専用コーデックとＱｏＳ定義を含み、前記ＵＥの構成時に使用する前記構成ノードがアクセス可能である
ことを特徴とする請求項１８に記載の装置。
【請求項２４】
前記アクセスネットワークの接続とともに、前記アクセスネットワークと前記ＵＥ間で通信が発生する
ことを特徴とする請求項２０に記載の装置。
【請求項２５】
アプリケーションが、前記ＵＥに前記モジュールの１つと、デジタル値／パラメータのセットの少なくともの一方の追加を要求するサポート機能を要求する場合、前記ＵＥと前記アクセスネットワーク間で通信が発生する
ことを特徴とする請求項２０に記載の装置。
【請求項２６】
前記アクセスネットワークは、ＧＰＲＳネットワーク、ＣＤＭＡネットワーク、ＣＤＭＡ２０００ネットワークあるいはＷＬＡＮを有する
ことを特徴とする請求項１８に記載の装置。
【請求項２７】
前記アクセスネットワークは、ＵＭＴＳネットワークを有し、前記構成ノードは、前記アクセスネットワークの前記ＳＧＳＮノードと一緒に配置されている
ことを特徴とする請求項１８に記載の装置。
【発明の詳細な説明】
【技術分野】
【０００１】
＜関連出願のクロスリファレンス＞
本願の特許請求項は、２００１年１０月３１日に出願された、同時係属の米国仮特許出願番号６０／３３５，６８２号の優先権の効果を持ち、かつその全開示を参照することで、これは本明細書に組み込まれる。
＜背景技術＞
本明細書で開示され、かつ請求項で定義される本発明は、汎用ターミナルあるいはユーザ端末（ＵＥ）と、いくつかの異なるアクセスネットワークの任意の１つの間でのデータ転送を最適化する方法及び装置に関するものである。より詳しくは、本発明は、上述のタイプの方法及び装置に関するものであり、ここで、ＵＥとそれぞれのアクセスネットワークは、モバイルあるいは無線コンピュータとの接続において使用される。更に、より詳しくは、本発明は、上述のタイプの方法及び装置に関するものであり、ここで、使用のために選択される任意のアクセスネットワークによってサポートされるコーデックとサービス品質（ＱｏＳ）定義を使用する、汎用ＵＥを容易にかつ自動的に構成することができる、これによって、アプリケーションパフォーマンスとリソース利用を最適化することができる。
【０００２】
今日、いくつかの異なるタイプのアクセスネットワークの任意の１つを介してインターネットへ接続するために、ユーザが汎用ＵＥを使用できる状況にあることを予測することが可能である、ここで、これらのアクセスネットワーク間では、遅延、ジッタ、帯域幅、ビット誤りの類に関してかなり異なっている。例えば、緊急用ＧＰＲＳ（汎用パケット無線サービス）ネットワークはかなり長い遅延と低帯域幅となっており、一方、次世代ＵＭＴＳ（ユニバーサルモバイル電気通信システム及びＷＬＡＮ（無線ローカルエリアネットワーク）は、より短い遅延及びかなり高い帯域幅となっている。
【０００３】
ＵＭＴＳのようなセルラーネットワークのベンダーが現在かなり注力していることには、無線リンクの利用の最適化がある、これは、ネットワークオペレータの費用対効果を著しく向上させるためである。いまのところ、ベンダーは、これらのネットワークを介して使用するために選択される特定コーデック及びメディアフォーマットに適合するサービス品質（ＱｏＳ）クラス（分類）を標準化している。サービス品質クラスは、最適な品質のメディア配信を与えるだけでなく、関係する無線リソースを最も効率的に使用する方法で定義される。しかしながら、最適化機能は、汎用無線ＵＥでの使用にのみ制限されている、つまり、ＵＥは、専用ネットワークを専用で使用するようには構築されない。この制約は、コーデック及び予約方法／機能の違いによって生じる、これは、汎用ＵＥと専用アクセスネットワーク群の特定のものとの間で生じ得る。ＵＥに関連するものには、ＵＥ機能が、セルラー電話のような１つのユニットに統合されている場合ばかりでなく、ＵＥがいくつかのユニットの集合体となっている場合、例えば、ラップトップあるいはＰＤＡに、あるいは、いくつかのエンドユーザ端末（例えば、セルラー電話、デジタルカメラ及びＰＤＡ）によって構成されるパーソナルエリアネットワークに接続されているセルラー電話がある。
【０００４】
また、異なるアクセスネットワークでは、リソース及び異なるサービス定義あるいはクラスを予約する方法が異なって実現されることが想定される。つまり、ＵＥは、いくつかの異なるアクセスネットワークに対して、様々な方法及び構成をサポートとし、かつ異なるタイプのネットワークを区別することを可能にする機能を必要とする。異なるネットワークそれぞれのローカルサービス定義及び方法を、ユーザが手動でＵＥに構成できることも必要となり得る。例えば、ＵＭＴＳネットワークにアクセスするキャリアＡの加入権を有するユーザが、キャリヤＢのＵＭＴＳネットワークへローミングを行う場合には、サービスクラスがかなり異なるために、ユーザのアプリケーションが違う動作を実行することに気づく場合がある。
【０００５】
アプリケーションデベロッパーにとって、汎用ＵＥを使用することが可能な各アクセスネットワークに対するサービス品質定義を予測することは、事実上不可能である。それゆえ、ユーザから要求されるサービス品質と、特定のネットワークによって提供されるサービス品質との違いは頻繁に生じ得る。
【０００６】
そして、現在の異なるネットワークでは、局所的に定義されているリソース予約メカニズムを用いるサービスクラスはかなり異なっているが、異なるメカニズムとサービス定義を容易に切り替える方法を現在存在しない。汎用ＵＥに対して、各アクセスネットワークのネイティブのあるいは標準化コーデック及びフォーマットを使用してデータ転送を最適化することができるソリューションは現在存在しない。このようなソリューションは、あるアクセスタイプに対して専用に構成されているＵＥに依存するか、あるいは補助的な最適リソース利用を実現するフォーマットを使用している。加えて、これらのソリューションは、すべてのアクセスネットワーク及びメディアタイプに対して適合するコーデックをＵＥにプリインストールすることを必要とする場合がある。また、異なるアクセスネットワークで定義を移し変えるあるいは変更する際の問題を解決するために、コーデックと、リソース予約メカニズム及びクラスの少なくとも一方を統合してＵＥへの組み込みをユーザに意識させることなく提供する方法は現在存在していない。
＜発明の要約＞
本発明は、上述の問題のソリューションを提供する。より詳しくは、本発明は、汎用ＵＥと専用特性の特定セットを有するアクセスネットワークとを、互いに適合させることを可能にする。これは、アクセスネットワークのリソースの利用を最適化する一方で、同時に、ＵＥの汎用特性を維持する。また、本発明の実施形態は、ＵＥ装置に、ＵＥの手動構成を必要とすることなく、プロバイダ定義サービスを理解し、かつ適合させることを可能にする。本発明の方法では、ＵＥ装置とアプリケーションは、操作環境に追随するランタイムサポートで提供される。アクセスネットワークが予約機能を有している場合、メディア及び制御コンポーネントの両方をＵＥ装置に提供することができる。ネットワークは、ＵＥ装置に、利用可能な予約クラスに適合するコーデックを提供することができ、かつそれらのクラスに関係する装置を制御することができる。つまり、ＵＥ装置を、アクセスネットワークの専用パラメータと、その特定の最適化フォーマットメディアタイプの両方を用いて使用するために、最適に構成することができる。
【０００７】
ある実施形態においては、本発明は、汎用モバイルＵＥと、専用ネットワークパラメータを有するアクセスネットワーク間のデータ転送を向上させる方法に関するものであり、この専用ネットワークパラメータは、少なくとも専用コーデックのセットと専用サービス定義のセットを少なくとも含んでいる。この方法は、構成ノードを実現するためにアクセスノードを制御し、ＵＥを構成ノードに接続し、そして、アクセスネットワークに、ＵＥ及びユーザを識別する情報を供給するステップを含んでいる。ユーザは、ＵＥに関連付けられていても良い、あるいはデータ転送に関連して識別しても良い。ユーザは、例えば、人間あるいはプロセスであり得る。この方法は、更に、ＵＥとユーザアイデンティティから、及びネットワークパラメータから共同で、ＵＥパラメータの専用セットを判定し、アクセスネットワークとＵＥ間の不一致を回避するために、ＵＥに、そのＵＥパラメータの専用セットを構成する。
＜詳細説明＞
図１を参照すると、ＵＭＴＳネットワークのようなアクセスネットワーク１０が示され、これは、インターネット３４に接続されている。アクセスネットワーク１０は、専用のネイティブあるいは標準化コーデック及びメディアフォーマットを持っている。本明細書で使用されるように、「コーデック」（「コーダ／デコーダ」の略字）という用語は、典型的には、ハードウェアあるいはソフトウェアで実現される機能であり、これは、あるメディアフォーマットを別のフォーマットへ信号を符号化あるいは復号化する。この信号は、音声あるいは動画のデジタル表現であり得り、例えば、デジタル表現が実行される場合には、この方法は、コーデックアルゴリズムによって特定されるものである。本明細書で使用される「メディアフォーマット」はメディアが符号化される場合の「コーデック」を示し、フォーマットは使用される符号化アルゴリズムを示している。本明細書で使用されるメディアは、音声あるいは動画であり得るが、他のタイプの表現でもあり得る。
【０００８】
ネットワーク１０は、ネットワーク専用リソース予約メカニズム、即ち、リソース予約方法を持っており、これは、３ＧＰＰ  ＴＳ２４．００８で定義される、ＲＳＶＰ（リソース予約プロトコル）あるいはＧＰＲＳセッション管理のようなプロトコルに関連付けられている。ネットワーク１０は、更に、ネットワーク専用ベアラーあるいは転送サービス定義、あるいはクラスによって特徴付けられる、つまり、帯域幅、遅延、ジッタ及び最大ビット誤り数のようなＱｏＳパラメータ群に対する特定値によって特徴付けられる。当業者に知られているように、アクセスネットワークでサポートされている専用コーデック、サービス品質クラス及びメディアフォーマットの間には密接な関係がある。
【０００９】
図１を更に参照すると、周知のＵＥ１２が示されている、これは、基地局（ＢＳ）１４及びＳＧＳＮ（在圏ＧＰＲＳサポートノード）１６を介して、ＵＭＴＳネットワーク１０と接続するために配置されている。ＵＥ１２は、例えば、単独のセルラー電話、セルラー電話に接続されているラップトップあるいはＰＤＡ、あるいはその他のいくつかの装置であり得る。ＵＥ１２は、汎用ＵＥであるので、ネットワーク１０を特徴付けるパラメータ、つまり、専用コーデック、メディアフォーマット及びそのサービス品質（ＱｏＳ）クラスを使用するために特別に設計しなくて済む。つまり、本発明に従えば、ＵＥ１２は、以下で、詳細に説明するように、ネットワーク１０の専用パラメータを使用するために、ＱｏＳ定義と、それに対応する適切なコーデックで構成され、これにより、ＵＥ１２は、専用ネットワーク１０を使用するために設計される。ＵＥ１２とネットワーク１０間のデータ転送は、例えば、品質及びコストによって最適化することができ、かつそれらの不一致を回避することができる。
【００１０】
ＵＥ１２の構成は、構成ノード１８を実現するネットワーク１０を制御することによって、その一部が達成される、この構成ノード１８は、ＵＥ１２と通信するために配置されている。構成ノードは、ＳＧＳＮ１６と一緒に配置することができるが、選択的には、ノード１８とは別に実現することができる、あるいは別のネットワークノードと一緒に配置することができる。構成は、更に、構成レイヤー２０をＵＥ１２に提供することによって実現され、図２に示される構成可能ＵＥ１２を形成する。構成レイヤー２０は、ネットワーク１０の構成ノード１８にリンクされていて、これは、ネットワーク１０で利用可能なコーデックとサービス定義を含むリポジトリ２４に接続されている。つまり、構成可能ＵＥ１２は、ＵＥ１２による手動構成を必要とすることなく、プロバイダ定義サービスを理解し、確認することができる。より詳しくは、ネットワーク１０は、ネットワーク１０で利用可能なサービス品質定義（ＱｏＳ定義）を構成ＵＥ１２に提供し、更に、このようなクラスに対して適切なコーデックを構成ＵＥ１２に提供する。従って、構成可能ＵＥ１２は、構成レイヤー２０によって、アクセスネットワーク専用パラメータとメディアフォーマットタイプの両方に対して最適に構成することができる。同様に、構成可能ＵＥ１２は、リソース予約プロトコルで自動的に提供することができ、これは、処理対象のアクセスネットワークに専用のものとすることができる。この方法では、ネットワークプロバイダは、環境の構成と、意図する任意のリソース予約メカニズムの使用とに、自由度を持つことになる。
【００１１】
構成レイヤー２０は、構成可能ＵＥ１２に存在する論理的階層コーデック及びサービス品質処理機能である。本明細書で使用されるように、「サービス品質定義（ＱｏＳ定義）」という用語は、デジタル値／パラメータ、プロトコル、クラス、ソフトウェアモジュール、メタ言語定義及びアルゴリズムを示すために定義される。有効なことは、構成レイヤー２０は、レイヤー間のアプリケーションプログラムインタフェース群（ＡＰＩ群）のセットを有するソフトウェア構造として実現されることである。レイヤー２０は、現在使用され、かつプレインストールされているコーデック機能の代わりとして、ＵＥ１２にインストールされる、ここで、このコーデック機能は、通常、可変のコーデック及びサービス定義条件に適合していない。しかしながら、レイヤー２０は、ＡＰＩのリクエストに応答して、ランタイムモジュールを追加することによって構成を実行することができる。この機能は、ウェブブラウザで使用されるような、プラグイン技術に類似しているが、構成レイヤー２０は、システム及びアプリケーションレベルの両方で動作する。上述のように、アクセスネットワーク専用パラメータを構成可能ＵＥ１２に提供することによって、構成レイヤー２０は、ＵＥパラメータに対応するＵＥ１２を構成し、かつこのネットワーク専用パラメータとの不一致を回避するように動作することができる。
【００１２】
アクセスネットワークによって実現される構成ノード１８は、ネットワークにＵＥが接続されている場合、あるいはアプリケーションがコーデックの使用あるいは追加を要求する場合に必要に応じて、ＵＥ１２と通信する。接続時には、ＵＥ１２は、自身についての情報とエンドユーザのアイデンティティをＳＧＳＮ１６に供給する。図１を更に参照すると、ホーム加入者サービスレジスタ（ＨＳＳ）２６と接続されているＳＧＳＮ１６が示され、これは、ＨＳＳ２６に、ＵＥとユーザアイデンティティをＳＧＳＮ１６から受信することを可能にする。ＨＳＳ２６は、ユーザが、例えば、ＱｏＳに加入しているという加入についての情報を保持している。
【００１３】
ＨＳＳ２６から返信されるＵＥとユーザ加入データに基づいて、ＳＧＳＮ１６は、図１の実施形態では、コーデック及びＱｏＳクラスに関してのＵＥ構成情報を検索するための構成ノード１８と一緒に配置されているかを調べる。構成ノードは、ＵＥ情報、ユーザ加入情報及びアクセスネットワーク専用情報に基づいて、コーデック及びＱｏＳ定義に対する適切な判定を行う。アクセスネットワーク専用情報は、例えば、コーデック使用ポリシー、関連サービスクラス及び専用ベアラーパラメータを含んでいる。アクセスネットワーク専用情報は、例えば、構成ノードに局所的に記憶することができる、あるいはコーデック及びサービス定義リポジトリ２４から検索することができる。判定に基づいて、構成ノードは、実際のアクセスネットワークに依存するＱｏＳ定義及びコーデックを、コーデック及びサービス定義リポジトリ２４から取得して、それらをＳＧＳＮ１６へ送信し、更に、ＳＧＳＮ１６は、これらの情報をＵＥ１２へ送信する。ＵＥは、上述の、かつ図２に示されるコード追加レイヤー２０を使用して、適切なＱｏＳ定義と対応するコーデックを有する、自身を構成する信号を受信する。
【００１４】
図１に更に示されるように、アクセスネットワーク１０のオペレータは、メディアあるいはコンテンツ適合ノード２８を提供することもでき、これは、ＧＧＳＮ（ゲートウェイＧＰＲＳサポートノード）３０を介して、ＳＧＳＮ１６へ接続される。適合ノード２８は、メディアを、例えば、コンテンツサーバによって配信される自身のオリジナルコーデックフォーマットから、特定メディアタイプに対してアクセスネットワーク１０によってサポートされるネイティブコーデックフォーマット（例えば、ＭＰ３をネイティブＡＭＲオーディオコーデック）に変換する。図１は、インターネット３４を介して適合ノード２８に接続されているコンテンツサーバ３２を示している。
【００１５】
ＵＥ１２での、クライアント側の実装は、いくつかの方法で実現することができる。ある構成では、上述のように、ＵＥは、システムネイティブフォーマットのコーデックから出力されるコーデックインスタンスあるいはメディアを要求するために、アプリケーションプログラマには、ＡＰＩを持たせることができる。別の構成は、ＵＥ１２に対して、ＵＮＩＸ(登録商標)／ｄｅｖシステムのようなシステムを使用するアプリケーションに対するデバイスインタフェースを提供することである。この場合、アプリケーションは、リソース、例えば、音声用の／ｄｅｖ／ａｃｏｄｅｃと、ビデオ用の／ｄｅｖ／ｖｃｏｄｅｃを簡単にオープンすることができ、このフォーマットは、標準フォーマット（例えば、音声用ＰＣＭ）でアプリケーションに提供される。
【００１６】
図３を参照すると、ステップ４０では、ＵＥがアクセスネットワークへ接続する。ステップ４０は、ＵＥ及びユーザ識別子の送信を含んでいる。ステップ４２では、アクセスネットワークを介してＵＥが信号を構成ノードに送信する、この信号には、ＵＥ及びユーザ識別子を含んでいる。ＵＥ内のアプリケーションが、ＵＥ外部自動構成の条件を必要とするメディアサポートを要望する場合に、このステップは、追加処理の一部あるいは後段で発生し得る。
【００１７】
ステップ４４では、ＵＥ（例えば、ＵＥケイパビリティ、ソフトウェアサポート／バージョン等）及び任意の関連加入情報、例えば、ＱｏＳに関与する情報について、必要な詳細情報を構成ノードが取得する。これは、アクセスネットワークのタイプ等に依存するネットワーク内の１つ以上のレジスタ（例えば、加入レジスタ）から検索することができる。
【００１８】
ステップ４６では、その情報が、構成ノードによって返信される。
【００１９】
ステップＳ４８では、アクセスネットワーク専用情報に依存して、どのＱｏＳ定義を使用し、どのタイプのコーデックを使用するかを、構成ノードが判定する。
【００２０】
ステップ５０では、構成ノードが、判定に従って適切なＱｏＳ定義及びコーデックを構成する。これらの定義及びコーデックは、適切なリポジトリ（例えば、２４）から検索されても良い。
【００２１】
ステップ５２では、構成ノードが、ＱｏＳ定義及びコーデックをＵＥへ返信する、そうすることで、ＵＥは、構成レイヤーで、自身に必要な構成を行うことができる。
【００２２】
本発明の実施形態は、汎用ＵＥに、常にコーデックとＱｏＳ定義を使用することを可能にし、これらは、アクセスネットワークによってもともとサポートされている。アクセスネットワークとこれらのコーデックは調和されているので、無線リソースの利用を最適化することができる。本発明の実施形態は、最適化をアプリケーションに対して明示的に発生することができ、これによって、システムの使用は、格段に柔軟性が増し、かつ管理可能となる。更なる利点には、テンポラリ来訪ネットワークへのプリペイドアクセスのようなテンポラリネットワークアクセスの使用の簡略化がある、これは、ソフトウェアの更新あるいはインストールを行うことなく、ＵＥが動作することができるからである。また、本発明の他の実施形態は、例えば、モビリティ管理プロトコルのような他のプロトコル機能を組み込むことを指示することができる。つまり、アクセスネットワーク内で使用される専用プロトコルは、自動的にＵＥにインストールすることができ、これにより、手動構成及びソフトウェア更新を回避する。
【００２３】
より多くの一般的な事例を示す本発明の更なる実施形態では、ＵＥ１２は、例えば、パーソナルエリアネットワーク（ＰＡＮ）で機能を分散させることができる。ＰＡＮの一例には、ラップトップあるいはＰＤＡと、セルラー電話の機能を統合化したものがあり、この場合、セルラー電話は、ラップトップあるいはＰＤＡに対してワイドエリア接続を提供することができる。この例では、「デバイス自動構成機能」は、ＰＡＮ内で２つの部分に分けることができ、例えば、ＱｏＳ機能は、セルラー電話内に組み込み、かつ（対応する）ビデオコーデック機能はラップトップ／ＰＤＡに組み込まれる。２つ以上のデバイスを含む、より複雑なＰＡＮを想定することもできる。本質的には、構成レイヤーは、いくつかのデバイスに分散することができる。
【００２４】
更なる実施形態では、アクセスネットワークは、例えば、ＷＬＡＮ、ＧＳＭ等のＧＰＲＳ／ＵＭＴＳ以外の他のタイプのアクセス技術に依存することもできる。このような構成の場合、構成ノードは、そのアクセスネットワーク内のアクセスルータに接続される、あるいはアクセスタイプに依存する別のアクセスネットワーク専用ノードに接続される。
【００２５】
自明なことは、本発明の様々な実施形態及び変形が、上述の技術の観点より可能である。それゆえ、開示される概念の範囲内で、本発明が、上述の実施形態以外の構成で実施されても良いことが理解されるべきである。
【図面の簡単な説明】
【００２６】
【図１】本発明の実施形態に従って構成されるアクセスネットワーク及びＵＥを示す概要図である。
【図２】本発明の実施形態のコンポーネント（構成要素）を示す概要図である。
【図３】本発明の実施形態のステップを示すシーケンス図である。
【図１】
2005507624.tif 000003
【図２】
2005507624.tif 000004
【図３】
2005507624.tif 000005
【国際公開パンフレット】
2005507624.tif 000006
2005507624.tif 000007
2005507624.tif 000008
2005507624.tif 000009
2005507624.tif 000010
2005507624.tif 000011
2005507624.tif 000012
2005507624.tif 000013
2005507624.tif 000014
2005507624.tif 000015
2005507624.tif 000016
2005507624.tif 000017
2005507624.tif 000018
2005507624.tif 000019
2005507624.tif 000020
2005507624.tif 000021
2005507624.tif 000022
2005507624.tif 000023
2005507624.tif 000024
2005507624.tif 000025
2005507624.tif 000026
2005507624.tif 000027
【国際調査報告】
2005507624.tif 000028
2005507624.tif 000029